(57)【要約】      （修正有）【課題】釣り上げた魚を掴まえやすい姿勢に拘束する網の形状を提供する。【解決手段】釣り用の針外し網は、バッカン４の縁に柄１を差し込んで用いる。釣り上げた魚は、まずは三角錐形状に編んだ網３の中へ入れる。この時の両手は、片手に釣竿、もう一方の手はハリス５を持って魚を吊るしているので、ハリス５を持った手をフレーム２の上へ導き、吊るした魚を網３へ下げ入れる。次にハリス５を持って魚を網３の先端側の折り目に沿って掴み易い位置まで引き上げる。魚は三角錐体の網３の両面で挟まれているため、上向きで柔らかく拘束された状態になっている。ここで一方の手は、挟み込まれた魚を網３の上から掴む。網３がガイドになって魚を掴む位置まで持ち上げてあり、掴み易い上向きの姿勢に柔らかく拘束されているので楽に行うことが出来る。【選択図】図２
0003184040.tif 000002
【実用新案登録請求の範囲】
【請求項１】
網が角錐形状になっていることを特徴とする釣り用の針外し網
【考案の詳細な説明】
【技術分野】
【０００１】  本考案は魚釣りにおいて、釣り上げた魚から釣針を外す作業の安全を支援する網に関するものである。
【背景技術】
【０００２】  従来、釣れた魚の取り込みから、その後に行う作業は次のように行っている。
魚が大物であれば、釣り座の手前まで寄せて図５に示す玉網を使う。玉網は、柄▲１▼とフレーム▲２▼および網▲３▼から構成される。特に海釣り用は、柄▲１▼が伸縮して釣り座が海面より高い場合でも取り込むことが出来る。
この玉網を使って取り込んだ後は、玉網の中へ手を差し込んで魚を掴み、釣針を外す作業を行う。又は、安全な場所まで玉網ごと運び、そこで魚を網外へ出してから魚を掴むようにしている。
玉網を使わない場合は、釣り上げた魚を釣り座の近くへ横たえた後に掴む、又はハリスを掴んで吊るした状態で掴み、釣針を外す作業を行っている。
しかし魚を素手で掴むに際しては、背ビレ・胸ビレが手に刺さらないように注意しなければならない。特に海釣りにおいては毒を持つ魚（アイゴ、ゴンズイなど）の釣れることが多々あり、この魚に刺さった場合は激しい痛みと腫れが数日間も続くことがある。【０００３】  今日、素手で魚を掴まなくても済むように、手袋の着用やタオルで包んで持つ方法が採られている。さらに、より安全で快適に魚を掴む幾つかのアイデアが提案されている。
手段としては、タオルと同じように魚を包むに適した材料および形状から成るアイデア（特許文献１、２参照）や、挟むようにしたアイデア（特許文献３，４，５参照）がある。
しかし、これらのアイデアで包むにしろ挟むにしろ、この作業へ至るまでの魚は拘束されておらず暴れるため、この間に背ビレ・胸ビレが刺さる危険を充分に解決していない。
一方、魚を掴みやすくするために魚を拘束して取り込む玉網のアイデア（特許文献６参照）は、掴み易いが背ビレ・胸ビレの危険除去については対象外のアイデアである。
【先行技術文献】
【特許文献】
【０００４】
【特許文献１】実願２００５−０１０１６２
【特許文献２】実願２００３−２７２４８５
【特許文献３】実願平１０−００１３１１
【特許文献４】実願平０８−００９３６９
【特許文献５】特開平０６−３２８３６７
【特許文献６】特開２０１１−２５０７０４
【考案の概要】
【考案が解決しようとする課題】
【０００５】  取り込んだ魚を安全に掴んで針外し作業をするには、その前に掴みやすい状態を整えることが先決である。整えた後に、最も適した掴まえ方で実践する。
本考案は、釣り上げた魚を掴まえやすい姿勢に拘束する網の形状を提供する。
次に、針外し作業を行うため、拘束された魚を安全に掴む手段を提供する。
【課題を解決するための手段】
【０００６】  図１は、本考案が提案する典型的な針外し網の外観を示す。
柄▲１▼とフレーム▲２▼、および角錐体の網▲３▼（本図は二等辺三角錐体の例）から構成している。構成は、図５に示した魚を取り込む際に使用する玉網と同じであるが、本図は柄▲１▼の一部をフック形状にしており、取り込みが主でなく次のような使い方をする。【０００７】  図２は、図１に示した針外し網の使い方を示す。バッカン▲４▼の縁に柄▲１▼を差し込んで用いる。
釣り上げた魚は、まずは網▲３▼の中へ入れる。この時の両手は、片手に釣竿、もう一方の手はハリス▲５▼を持って魚を吊るしているので、まずはハリス▲５▼を持った手をフレーム▲２▼の上へ導き、吊るした魚を網▲３▼へ下げ入れる。
これを終えて傍らに釣竿を置けば、両手がフリーになる。次に行う針外し作業は、その作業へ入る前に片手でハリス▲５▼を持ち、魚を網▲３▼の先端側の折り目に沿って掴み易い位置まで引き上げる。魚は三角錐体の網▲３▼の両面で挟まれているため、上向きで柔らかく拘束された状態になっている。拘束の程度は、網▲３▼に使う材料の物性による。
大きな魚は本考案の製品寸法との兼ね合いによるが、網▲３▼へ入れると既に掴み易い位置になっている場合があり、その場合は上述の引き上げる作業は不要となる。
ここで一方の手は、挟み込まれた魚を網▲３▼の上から掴む。網▲３▼がガイドになって魚を掴む位置まで持ち上げてあり、掴み易い上向き姿勢に柔らかく拘束しているので楽に行うことが出来る。
掴んだ後はハリス▲５▼を持った手が空くので、その手を使って針外し作業に取り掛かることが出来る。針を外した後に魚を掴んだ手を離せば、魚は網▲３▼の中へ落とし込まれる。
このようにして針外し作業を終えたならば、柄▲１▼を持ってバッカン▲４▼から取り外し、所定の魚収納用具（クーラー、スカリなど）へ移し替える。【０００８】  図３は、魚を掴む際の安全性・快適性を高める提案を示す。網▲３▼の側面で魚を掴む位置に可撓性と耐水性のあるパッチ▲６▼を設けている。これは、背ビレや胸ビレで刺し通せない材料（皮、ゴム、織布、不織布など）を網▲３▼へ編み付けており、このパッチ▲６▼の上から魚を掴むことによって、掴みの安全性を確保する。
なお、パッチ▲６▼の上辺とフレーム▲２▼の間には隙間を設けている。パッチ▲６▼を介して魚を掴んだ時に、パッチ▲６▼が網▲３▼の内側入り込んで掴みを確実にするためである。
パッチ▲６▼の効果は、よりしっかりと魚を掴めると共に、直に触らなくても済むのでヌメリによる不快感も無く快適である。【０００９】  図４（Ａ）は、玉網のような形状の網（図５の▲３▼）の一部に、本考案の網（図１の▲３▼）を合体した実施例である。開口部が広いので、魚の出し入れが楽になる。
図４（Ｂ）は、網▲３▼が四角錐体の形状にした実施例を示す。この実施例のパッチ▲６▼は、網側面を一周するように設けている。魚を掴む場所を限定しないためである。
いずれも、本考案の適用範疇である。
【考案の効果】
【００１０】  従来、使用している魚を掴まえる道具、又は提案されているアイデアは、魚を掴むことが出来た時点から効果を発揮する。
換言すれば、掴まえる前の魚は暴れるが故に道具やアイデアを適用する以前の課題に対して、解決策の提案が欠落していると言わざるを得ない。
本考案は暴れる魚を掴まえやすく対策を講じた後に掴みへ取り掛かり、その掴みを保持し、針外しを終えて、魚収納具へ確保するに至る一連の作業を、背ビレ等に刺される心配もなく安全・快適に進めることが出来る。
以上の説明は素手で掴む記述となっているが、掴む段階においては先行文献のアイデアによる道具を使っても構わない。
作業を終えて、魚収納用具（クーラー、スカリ等）への移し替えも簡単に行える。
この間、魚を直に触らないで済む（図３の提案を適用した場合）ことも可能であり、苦手な人にとって便利である。
【図面の簡単な説明】
【００１１】
【図１】三角錐の形状の網を持った釣り用の針外し網
【図２】図１に示した釣り用の針外し網の使い方
【図３】網の一部にパッチを設けた釣り用の針外し網
【図４】網の形状およびパッチの形状を変形した本考案の実施例
【図５】従来の玉網
【考案を実施するための形態】
【００１２】  図２が本考案の特徴を最もよく表している。本図は、釣り上げた魚を網▲３▼に下げ入れた後、針外しの作業を始める直前の様子である。
つまり、片手でハリス▲５▼を持ち三角錐の網▲３▼の先端折り目に沿って魚を掴む位置まで持ち上げ、一方の手を使って網▲３▼の上から魚を掴もうとしている場面である。
この間、魚は網▲３▼折り目に挟まれて上向きに柔らかく拘束された状態にあり、掴むのが楽である。
これまでの説明は、図５に示した従来の玉網を使わないで魚を取り込んだ場合であったが、玉網を使った場合でも、玉網から本考案の針外し網へ移し替えて一連の作業を行うことで前述の効果を享受出来る。
【実施例】
【００１３】  図２を実施例として提示する。
【符号の説明】
【００１４】  ▲１▼  柄
▲２▼  フレーム
▲３▼  網
▲４▼  バッカン
▲５▼  ハリス
▲６▼  パッチ
【図１】
0003184040.tif 000003
【図２】
0003184040.tif 000004
【図３】
0003184040.tif 000005
【図４】
0003184040.tif 000006
【図５】
0003184040.tif 000007
【手続補正書】
【提出日】平成25年2月27日(2013.2.27)
【手続補正１】
【補正対象書類名】実用新案登録請求の範囲
【補正対象項目名】全文
【補正方法】変更
【補正の内容】
【実用新案登録請求の範囲】
【請求項１】
網が角錐形状になっていることを特徴とする釣り用の針外し網
【請求項２】
網の側面にパッチを設けていることを特徴とする釣り用の針外し網
【請求項３】
バッカンに取り付け・取り外しが出来ることを特徴とする釣り用の針外し網
【手続補正書】
【提出日】平成25年4月8日(2013.4.8)
【手続補正１】
【補正対象書類名】実用新案登録請求の範囲
【補正対象項目名】全文
【補正方法】変更
【補正の内容】
【実用新案登録請求の範囲】
【請求項１】
網が角錐形状になっていることを特徴とする釣り用の針外し網。
【請求項２】
網の側面に、可撓性のパッチを設けていることを特徴とする請求項１記載の釣り用の針外し網。
【請求項３】
バッカンに取り付け・取り外しが可能な柄を備えることを特徴とする請求項１又は２に記載の釣り用の針外し網。